(57)【要約】【課題】制御対象のそれぞれ機器同士の間で、素早くかつ容易に表示機器の表示器に表示出力する映像を切り替える。【解決手段】動作モード切替スイッチ１２の切替操作によって、リモコン装置１の機器個別の制御対象としてのリモコン制御機器を切り替えた場合、その際のリモコン装置１の動作モード状態Ｍに応じて、リモコン制御機器としての表示機器２-１に表示されるリモコン制御機器としての映像出力機器２-１〜２-３を自動的に切り替える。【選択図】図１
2008035247.tif 000002
【特許請求の範囲】
【請求項１】
表示機器と当該表示機器に信号接続された映像出力機器とを含む、複数のリモコン制御機器を機器個別制御するためのリモコン装置であって、
前記リモコン制御機器それぞれの機器個別制御用のリモコン信号を生成するリモコン信号生成手段と、
該リモコン信号生成手段のリモコン信号生成対象としてのリモコン制御機器を切り替えるためのモード切替スイッチと、
該モード切替スイッチが切替操作されたとき、前記リモコン信号生成手段に、前記表示機器を対象とした表示モード変更のための個別制御用のリモコン信号を生成させるリモコン信号生成制御手段と
を備えていることを特徴とするリモコン装置。
【請求項２】
前記リモコン信号生成制御手段は、当該モード切替スイッチの切替操作によって前記リモコン信号生成手段のリモコン信号生成対象が前記表示機器になった場合は、前記リモコン信号生成手段に、前記表示機器の表示入力を前回切替時の表示入力に切り替えるリモコン信号をさらに生成させる
ことを特徴とする請求項１記載のリモコン装置。
【請求項３】
前記リモコン信号生成制御手段は、表示モード変更のために、前記モード切替スイッチの切替状態それぞれに対応した前記リモコン制御機器と、前記リモコン制御機器の表示モードとの関係を記憶している記憶部を有している
ことを特徴とする請求項１記載のリモコン装置。
【請求項４】
前記記憶部は設定変更可能であることを特徴とする請求項３記載のリモコン装置。
【発明の詳細な説明】
【技術分野】
【０００１】
本発明は、複数のリモコン制御機器それぞれに、機器個別制御用のリモコン信号を送信可能なリモコン装置に関する。
【背景技術】
【０００２】
通常、リモコン装置は、リモコン制御機能を備えたリモコン制御機器毎に、機器専用の付属装置として設けられ、対応するリモコン制御機器の機器個別制御に用いられている。そのため、例えば同一室内に、テレビジョン受信機（ＴＶ受信機），ビデオテープレコーダ（ＶＴＲ）等といったリモコン制御機器が複数設けられている場合、各機器の専用リモコン装置がその機器数分だけ存在することになる。このような状況では、ユーザは、制御対象のリモコン制御機器毎に対応する機器専用リモコン装置を使い分けてその機器個別制御を行わなければならず、この専用リモコン装置それぞれの使い分けによる機器個別操作が煩雑であった。
【０００３】
そこで、機器個別制御用の専用リモコン装置による上述した機器個別操作の問題点を解決するために、複数のリモコン制御機器それぞれを共通の１つのリモコン装置によって、機器個別操作できるようにしたマルチリモコン装置が存在する。このマルチリモコン装置は、リモコン制御機器毎の機器個別制御に対応した専用リモコンコードが事前にリモコン装置自体に記憶されている構成になっている。この構成により、ユーザが制御対象のリモコン制御機器をリモコン装置上で選択してその機器個別操作を行えば、制御対象のリモコン制御機器に専用の、ユーザの機器個別操作に対応した機器個別制御用のリモコン信号を発信できる構成になっている。そして、このマルチリモコン装置を用いれば、制御対象のリモコン制御機器が変更になっても、制御対象のリモコン制御機器をこのマルチリモコン装置上で選択するだけで、選択した制御対象のリモコン制御機器に対して、その機器個別操作に対応した機器個別制御用のリモコン信号を送信できる。
【０００４】
このマルチリモコン装置の作用について、リモコン制御機器としてのＶＴＲで再生した録画画像を、同じくリモコン制御機器としてのＴＶ受信機の画面上で視聴する場合を例に、具体的に説明する。
【０００５】
この場合、ユーザは、マルチリモコン装置を用いて、制御対象のリモコン制御機器として映像出力機器のＶＴＲを選択し、その機器個別操作である録画画像の再生操作を行うとともに、制御対象のリモコン制御機器としてＴＶ受信機を選択し、その機器個別操作として入力表示モードをＶＴＲに対応したビデオ入力にする切替操作を行う。このように、マルチリモコン装置を用いることによって、同じリモコン装置でＶＴＲの再生操作及びＴＶ受信機の入力表示モードの切替操作を行うことができる。
【０００６】
しかし、上述したような構成のマルチリモコン装置であっても、ＶＴＲ，ＤＶＤ(Digital Versatile Disc)プレーヤー，セットトップボックス等といった種々の映像出力機器からの機器個別の出力画像を随時変更しながら、ＴＶ受信機の画面上で視聴し続けるような場合は、その機器個別の出力画像についての変更の都度、制御対象のリモコン制御機器を随時選択変更して、所望の映像出力機器及びＴＶ受信機それぞれに対して、映像出力操作及び入力表示モードの切替操作を行わなければならない。
【０００７】
そこで、特開平２−２８３１９５号公報（特許文献１）には、ＴＶ受信機とＶＴＲとが情報伝送路を経由した相互にデータ通信可能なシステムになっており、ＶＴＲが再生動作を開始した時に、ＶＴＲがこの情報伝送路を介してＴＶ受信機にコマンドを送信してＴＶ受信機の電源を〔ＯＮ〕にし、さらにＴＶ受信機に対してＶＴＲが出力する画像出力をＴＶ受信機の画面上に表示できるようにその入力表示モードの切替操作を行わせるシステムが記載されている。
【０００８】
また、特開平４−３４４３５４号公報（特許文献２）には、ＴＶ受信機に、ＶＴＲの専用リモコン装置からＶＴＲに対して発信されるリモコン信号を受信して判別するリモコン受信ユニットを接続し、このリモコン受信ユニットが、ＶＴＲの専用リモコン装置からＶＴＲに対して電源〔ＯＮ〕，再生，又は選局のためのリモコン信号が発信されたのを判別した場合に、ＴＶ受信機を電源〔ＯＮ〕にし、その入力をＶＴＲが接続されている外部入力端子又はチャンネルに合わせるシステムが記載されている。加えて、ＶＴＲの専用リモコン装置からＶＴＲに対して電源を〔ＯＦＦ〕又は停止のリモコン信号が発信されたのを判別した場合に、このリモコン受信ユニットが、そのＴＶ受信機を電源〔ＯＦＦ〕にし、又はＴＶ受信機の入力を元の入力若しくはチャンネルに合わせるシステムが記載されている。
【０００９】
【特許文献１】特開平２−２８３１９５号公報
【特許文献２】特開平４−３４４３５４号公報
【発明の開示】
【発明が解決しようとする課題】
【００１０】
ところが、特許文献１に記載のシステムの場合、その実現のためには、相手機器へのコマンドが情報伝送路を介して伝送されるため、ＶＴＲ，ＤＶＤレコーダ，セットトップボックス等といった映像出力機器、及びＴＶ受信機等の表示器を含む表示機器のいずれもが、情報伝送路を介して情報データが送・受信可能な機器構成になっていることが必要である。そのため、映像出力機器及び表示機器の中のいずれか一方が情報伝送路を介して情報データを送・受信するための通信インタフェースを備えていない場合には、相手方機器に対するコマンドを送信したり、相手方機器からのコマンドを受信したりすることができないため、当該システムを適用することができなかった。
【００１１】
また、特許文献２に記載のシステムの場合は、映像出力機器及び表示機器は上述した通信インタフェースを備えていることは要件ではないが、映像出力機器又は表示機器のいずれかに相手方機器の専用リモコン装置のリモコン信号を受信判別するリモコン受信ユニットを備えなければならなかった。
【００１２】
また、機能的にも、特許文献１，２に記載のシステムとも、ユーザが表示機器（例えばＴＶ受信機）により映像出力機器（例えばＶＴＲ）の出力映像の視聴中に、その視聴前に表示機器（ＴＶ受信機）で視聴していた映像（例えばＴＶ映像）の成り行き等を確認したい場合には、表示機器（ＴＶ受信機）の専用リモコン装置を操作して、トグル式のボタンで表示機器（ＴＶ受信機）の入力を例えばビデオ入力からＴＶ入力に切り替えるか、覚えておいたチャンネルの指定ボタンを押して切り替える等、ユーザが瞬時には対応できない操作を必要とする課題があった。
【００１３】
本発明は、上述した問題点を解決するために、それぞれ制御対象の、表示機器と映像出力機器との間、又は映像出力機器同士の間で、素早くかつ容易に表示機器の表示器に表示出力する映像を切り替えることができるリモコン装置を提供することを、その目的とする。
【課題を解決するための手段】
【００１４】
本発明は、上記した従来技術の問題点を鑑みなされたものであって、表示機器と当該表示機器に信号接続された映像出力機器とを含む、複数のリモコン制御機器を制御可能なリモコン装置に、リモコン信号生成対象としてのリモコン制御機器を切り替えるためのモード切替スイッチを設け、その切替操作時には、リモコン制御機器としての表示機器にその表示モード変更のためリモコン信号を自動的に送信する構成としたことを特徴とする。
【００１５】
すなわち、本発明は、リモコン装置で、その制御対象を一のリモコン制御機器から他のリモコン制御機器へ切り替えるモード切替スイッチの操作が行われたとき、リモコン装置が、リモコン制御機器の表示機器に対して、表示機器に関しての機器個別操作が無くとも、表示機器の入力表示モードを切替元の一のリモコン制御機器の入力表示モードから切替先の他のリモコン制御機器の入力表示モードに切り替えるリモコン信号を、自動的に送信することを特徴とする。
【００１６】
また、本発明は、リモコン装置で、その制御対象を表示機器以外のリモコン制御機器から表示機器へ切り替えるモード切替スイッチの操作が行われたとき、リモコン装置が、従前にこの表示機器が制御対象であったときの最新の表示状態に切り替えるリモコン信号を、自動的に送信出力することを特徴とする。
【００１７】
また、本発明は、リモコン装置が、リモコン制御機器としての表示機器の複数の入力表示モードそれぞれに対応して、リモコン信号を送信するリモコン制御機器又はモード切替スイッチを記憶している記憶部を有し、その記憶内容はユーザによって設定変更できるようになっていることを特徴とする。
【発明の効果】
【００１８】
本発明によれば、リモコン装置の備えられたリモコン制御機器のモード切替スイッチを切替操作するだけで、リモコン装置によるリモコン制御機器としての表示機器に関しての機器個別操作が無くとも、この表示機器の入力表示モードが自動的かつ迅速に、切替元のリモコン制御機器の入力表示モードから切替先の他のリモコン制御機器の入力表示モードに切り替えることができる。これにより、例えば、ＤＶＤレコーダで再生は継続させながら、ＶＴＲで録画している映像やＴＶ受信機で視聴していた番組の経過を確認できる等、ユーザの嗜好に対応でき、複数のリモコン制御機器を備えたＡＶシステム全体の使い勝手の向上が図れる。
【００１９】
また、リモコン制御機器としての表示機器の複数の入力表示モードそれぞれに対応して、リモコン信号を送信するリモコン制御機器、又はそのリモコンコードをユーザが設定できるため、ＡＶシステムを構成するリモコン制御機器の台数や機種が変更になった場合でも、容易に対応をはかることができる。
【発明を実施するための最良の形態】
【００２０】
本発明の一実施の形態のリモコン装置について、図面に基づき説明する。
図１は、本実施の形態のリモコン装置、及びこのリモコン装置を用いたＡＶシステムの構成例を示すブロック図である。
図１において、１は本実施の形態のリモコン装置、２はリモコン装置１によるリモコン制御機器である。図示のシステムでは、リモコン装置１には、３台のリモコン制御機器２-１〜２-３が接続されたＡＶシステム構成になっている。この３台のリモコン制御機器２-１〜２-３の内訳は、仮に、リモコン制御機器２-１が表示機器及び映像出力機器としてのＴＶ受信機２-１、リモコン制御機器２-２，２-３が映像出力機器としてのＤＶＤレコーダ２-２，ＶＴＲ２-３によってそれぞれ構成されているものとする。
【００２１】
この場合、映像出力機器としてのＤＶＤレコーダ２-２，ＶＴＲ２-３それぞれの映像出力端子３，３は、表示機器及び映像出力機器としてのＴＶ受信機２-１の映像入力端子４（４１，４２）に、専用ケーブル５（５１，５２）を介して接続され、ＴＶ受信機２-１には、ＤＶＤレコーダ２-２，ＶＴＲ２-３それぞれの映像信号が、外部信号入力されている。
【００２２】
リモコン制御機器としてのＴＶ受信機２-１，ＤＶＤレコーダ２-２，及びＶＴＲ２-３には、リモコン装置１のリモコン信号送信装置１５から各機器２-１〜２-３個別に発信出力される機器個別制御用のリモコン信号Ｓ１，Ｓ２，Ｓ３を受信するためのリモコン信号受信装置６（６-１〜６-３）が設けられている。
【００２３】
各リモコン制御機器２-１〜２-３は、それぞれのリモコン信号受信装置６-１〜６-３によって、リモコン装置１からそれぞれ自身を制御対象として発信出力される機器個別制御用のリモコン信号Ｓ１，Ｓ２，Ｓ３を受信し、そのリモコン信号Ｓ１，Ｓ２，Ｓ３に含まれたリモコンコードＲ１，Ｒ２，Ｒ３を、図示せぬ各機器２-１〜２-３の制御装置に供給する。各リモコン制御機器２-１〜２-３の制御装置は、この供給されたリモコンコードＲ１，Ｒ２，Ｒ３にしたがって、図示せぬ機器各部を作動制御する。
【００２４】
図示のＡＶシステムの場合、ＴＶ受信機２-１が、表示機器を含むリモコン制御機器２-ｙとして、自身の入力表示モードｍの切替状態に応じて、ＴＶ受信部７の受信放送映像，ＤＶＤレコーダ２-２の出力映像、ＶＴＲ２-３の出力映像の中から選択される１つの所望の映像を、その表示器画面に出力表示できる構成になっている。
【００２５】
このＴＶ受信機２-１では、その入力表示モードｍは、ＴＶ受信部７の受信放送映像が表示器画面に出力表示されるＴＶ表示モードが第１の入力表示モードｍ１に、映像入力端子４１に接続されているＤＶＤレコーダ２-２の出力映像が表示器画面に出力表示される外部機器信号入力モードが第２の入力表示モードｍ２に、映像入力端子４２に接続されているＶＴＲ２-３の映像出力が表示器画面に出力表示される外部機器信号入力モードが第３の入力表示モードｍ３に、それぞれ該当している。
【００２６】
一方、リモコン装置１は、操作部１１と、データコードメモリ１４と、リモコン信号送信装置（制御コード送信装置）１５と、制御メモリ１６と、リモコン制御装置２０とを有する構成になっている。なお、このリモコン装置１は、上述したリモコン制御機器２-１〜２-３の中の表示機器としてのＴＶ受信機２-１の付属リモコン装置として構成されるものであってもよい。
【００２７】
操作部１１には、動作モード切替スイッチ１２と、機器操作スイッチ１３とが設けられている。
【００２８】
動作モード切替スイッチ１２は、リモコン装置１を、リモコン制御機器２-１〜２-３の中のいずれか１つの所望のリモコン制御機器２-ｘの機器個別制御用の専用リモコン装置として動作させるため、その動作モードＭを切替設定するためのスイッチである。
【００２９】
この場合、動作モード切替スイッチ１２の操作によって、その動作モードＭを、リモコン装置１をリモコン制御機器２-１の専用リモコン装置として動作させる動作モードＭ(2-1)、リモコン装置１をリモコン制御機器２-２の専用リモコン装置として動作させる動作モードＭ(2-2)、リモコン装置１をリモコン制御機器２-３の専用リモコン装置として動作させる動作モードＭ(2-3)のいずれかに、切替設定を行うことができる。
【００３０】
また、機器操作スイッチ１３は、メーカや機種等が互いに異なる複数種類のリモコン制御機器２１〜２ｎ間で共用可能な、例えば、リモコン電源ボタン（いわゆる、電源キー），チャンネル選局数字ボタン（いわゆる、選局キー），音量調整ボタン，録画ボタン，再生ボタン，移動ボタン，決定ボタン等の各種操作ボタン１３１〜１３ｋを含み、この各種操作ボタン１３１〜１３ｋの操作によってリモコン制御機器２-１〜２-３それぞれの機器個別制御を機器個別操作するためのスイッチである。
【００３１】
データコードメモリ１４は、メーカや機種等が互いに異なる複数種類のリモコン制御機器２１〜２ｎそれぞれに対し、機器操作スイッチ１３の機器個別操作に応じた機器専用のリモコン信号データを生成するために必要な、リモコン制御機器２１〜２ｎそれぞれの機器識別コードＩ１〜ＩｎやリモコンコードＲ１〜Ｒｎをはじめとする各種データコードを記憶するメモリである。
【００３２】
この場合における、メーカや機種等が互いに異なる複数種類のリモコン制御機器２１〜２ｎそれぞれの機器識別コードＩ１〜ＩｎやリモコンコードＲ１〜Ｒｎをはじめとする各種データコードは、機器個別制御の対象である複数のリモコン制御機器２-１〜２-３それぞれについての、機器識別コードＩ１〜ＩｎやリモコンコードＲ１〜Ｒｎを始めとする各種データコードを特定するためのサンプルになる辞書データである。
【００３３】
そして、この場合のそれぞれ機器識別コードＩ１〜Ｉｎとしては、リモコン制御機器２１〜２ｎ別のリモコン信号に含まれるメーカ識別コードや機種識別コード等を含み、また、リモコンコードＲ１〜Ｒｎとしては、リモコン制御機器２１〜２ｎ別の機器操作スイッチ１３各種操作ボタン１３１〜１３ｋの操作毎に対応して生成される機器個別の制御コードＲ１(13１)〜Ｒ１(13ｋ)，・・・，Ｒｎ(13１)〜Ｒｎ(13ｋ)を含むものである。
【００３４】
そして、これらメーカや機種等が互いに異なる複数種類のリモコン制御機器２１〜２ｎそれぞれの機器識別コードＩ１〜ＩｎやリモコンコードＲ１〜Ｒｎをはじめとする各種データコードが格納されているデータコードメモリ１４は、例えばＲＯＭカード等といった着脱自在の記憶保持媒体によって構成され、必要に応じてこのデータコードメモリ１４自体を交換することにより、最新のリモコン制御機器２に対しても対応可能な構成になっている。
【００３５】
リモコン信号送信装置（制御コード送信装置）１５は、動作モード切替スイッチ１２の切替設定に基づく動作モード状態Ｍ(2-x)で、機器操作スイッチ１３の操作に対応して後述のリモコン制御装置２０が生成したリモコン制御機器２-ｘに対するリモコン信号データ（制御コード）を、リモコン信号に変換して無線送信出力する。
【００３６】
制御メモリ１６は、後述のリモコン制御装置２０の制御処理プログラムやその実行の際に演算又は記憶される各種制御データ、等を記憶する。
【００３７】
この制御メモリ１６は、本実施の形態では、切替状態−動作モード対応記憶部１７，入力表示モード設定状態記憶部１８，及び視聴ＴＶチャンネル記憶部１９を含んでいる。
【００３８】
切替状態−動作モード対応記憶部１７は、操作部１１の動作モード切替スイッチ１２の切替操作状態と、リモコン制御装置２０が個別機器制御用のリモコン信号データを生成するリモコン制御機器２-１〜２-３との対応、すなわち動作モード状態Ｍ(2-1)〜Ｍ(2-3)との対応を記憶する。
【００３９】
入力表示モード設定状態記憶部１８は、各リモコン制御機器２-１〜２-３の中の表示機器としてのリモコン制御機器、すなわち、図１の場合は、リモコン制御機器として表示機器と映像出力機器を兼ねているＴＶ受信機２-１の機器識別コードＩ１を記憶するとともに、このＴＶ受信機２-１の各入力表示モードｍ１〜ｍ３の設定状態を記憶する。すなわち、入力表示モード設定状態記憶部１８は、リモコン制御機器の表示機器としてのＴＶ受信機２-１の入力表示モードｍ１〜ｍ３それぞれで映像出力がその表示画面にそれぞれ表示出力される、リモコン制御機器の映像出力機器としてのＴＶ受信機２-１，ＤＶＤレコーダ２-２，ＶＴＲ２-３それぞれの対応状態を記憶する。
【００４０】
視聴ＴＶチャンネル記憶部１９は、リモコン装置１が表示機器と映像出力機器を兼ねたＴＶ受信機２-１を個別機器制御する動作モード状態Ｍ(2-1)において、機器操作スイッチ１３のチャンネル選局数字ボタンいずれかの操作に基づいてリモコン制御装置２０が生成したチャンネル選局のための最新のリモコン信号データ（制御コード）、又はその際のチャンネル選局数字ボタンのデータを記憶する。
【００４１】
なお、この制御メモリ１６の構成は、例えば、リモコン装置１の動作モード切替スイッチ１２や機器操作スイッチ１３の具体的構成等に応じて、種々の構成対応が可能である。具体例としては、制御メモリ１６は、動作モード切替スイッチ１２が動作モード状態Ｍ(2-1)〜Ｍ(2-3) それぞれに対応した操作信号を出力するスイッチではなく、例えば、操作に対応したオン/オフ信号を出力するだけの単一のスイッチで構成している場合には、この動作モード切替スイッチ１２のオン/オフ信号に基づいて動作モード状態Ｍ(2-1)〜Ｍ(2-3)を切り替え、その切り替えた現在の動作モード状態Ｍ(2-ｘ)を記憶する動作モード状態設定記憶部も含む。また、前述したように、このリモコン装置１をリモコン制御機器の表示機器としてのＴＶ受信機２-１の付属リモコン装置として予め構成するような場合は、動作モード切替スイッチ１２の切替状態と表示機器としてのＴＶ受信機２-１の入力表示モードｍ１〜ｍ３の状態との対応を予め合致させておくことができるので、切替状態−動作モード対応記憶部１７又は入力表示モード設定状態記憶部１８のいずれか一方で他方の機能を兼ね、他方を省略することも可能である。このように、制御メモリ１６は、リモコン装置１の動作モードＭ(2-1)〜Ｍ(2-3)それぞれ（動作モード切替スイッチ１２の各切替状態)に対応した制御対象のリモコン制御機器２-１〜２-３と、このリモコン制御機器２-１〜２-３それぞれについての同じくリモコン制御機器である表示機器２-１における表示モードｍ１〜ｍ３との対応関係を記憶しているものであれば、その具体的な構成はどのようであってもよい。
【００４２】
リモコン制御装置２０は、操作部１１の動作モード切替スイッチ１２又は機器操作スイッチ１３の操作に基づき、各部１４，１５，１６と協働して、リモコン装置１の各種の機能処理を実行する。
【００４３】
具体的には、リモコン制御装置２０は、操作部１１の機器操作スイッチ１３の操作に基づき、制御メモリ１６の切替状態−動作モード対応記憶部１７を参照して動作モード切替スイッチ１２の切替設定状態から動作モード状態Ｍ(2-x)を判別する。そして、リモコン制御装置２０は、データコードメモリ１４に記憶されている判別した動作モード状態Ｍ(2-x)に対応する機器識別コードＩｘやリモコンコードＲｘを含むデータコードを基にして、機器操作スイッチ１３の操作に基づく、動作モード状態Ｍ(2-x)に対応するリモコン制御機器２-ｘの機器個別制御用のリモコン信号データ（制御コード）を生成する。その上で、リモコン制御装置２０は、生成したリモコン信号データをリモコン信号送信装置１５に供給し、リモコン信号送信装置１５から動作モード状態Ｍ(2-x)に対応するリモコン制御機器２-ｘの機器個別制御用のリモコン信号を無線送信出力する。
【００４４】
そして、この場合において、リモコン制御装置２０は、その動作モード状態Ｍ(2-x)が表示機器としてのＴＶ受信機２-１に対応した動作モード状態Ｍ(2-1)であって、その生成したリモコン信号データ（制御コード）がＴＶ受信機２-１に対する受信チャンネルの変更の指示である場合、さらに、そのリモコン信号データ（制御コード）、又はその際のチャンネル選局数字ボタンのデータを、視聴ＴＶチャンネル記憶部１９に更新記憶する。
【００４５】
また、リモコン制御装置２０は、操作部１１の動作モード切替スイッチ１２の操作がユーザによりなされると、動作モード切替スイッチ１２の新たな切替設定状態を取得する。そして、リモコン制御装置２０は、制御メモリ１６の切替状態−動作モード対応記憶部１７を参照して動作モード切替スイッチ１２の切替設定状態から新たな動作モード状態Ｍ(2-x) を判別する。リモコン制御装置２０は、入力表示モード設定状態記憶部１８に記憶されている表示機器としてのＴＶ受信機２-１の機器識別コードＩ１とこのＴＶ受信機２-１の各入力表示モードｍ１〜ｍ３の設定状態とを参照し、この新たな動作モード状態Ｍ(2-x)のリモコン制御機器２-ｘに対応する表示モードｍｘを判別する。その上で、リモコン制御装置２０は、入力表示モード設定状態記憶部１８より取得したＴＶ受信機２-１の機器識別コードＩ１、及びこの判別した入力表示モードｍｘに基づいて、データコードメモリ１４に記憶されているＴＶ受信機２-１に対応する機器識別コードＩｘやリモコンコードＲｘを含むデータコードを基にして、ＴＶ受信機２-１の入力表示モードを、新たな動作モード状態Ｍ(2-x)に対応した入力表示モードｍｘに切り替えるＴＶ受信機２-１の機器個別制御用のリモコン信号データ（制御コード）を生成する。そして、リモコン制御装置２０は、生成したリモコン信号データをリモコン信号送信装置１５に供給し、リモコン信号送信装置１５からこのＴＶ受信機２-１の機器個別制御用のリモコン信号を無線送信出力する。
【００４６】
したがって、リモコン制御装置２０は、操作部１１の動作モード切替スイッチ１２の操作がユーザによりなされると、表示機器としてのリモコン制御機器２-１を、新たな動作モード状態Ｍ(2-x) に対応した入力表示モードｍｘに自動的に切り替える。
【００４７】
これにより、表示機器としてのリモコン制御機器２-１の表示画面には、新たな動作モード状態Ｍ(2-x)に対応するリモコン制御機器２-ｘの映像信号が表示出力されることになる。
【００４８】
上記したユーザが操作部１１の動作モード切替スイッチ１２を操作した場合のリモコン制御装置２０の制御処理に係り、動作モード切替スイッチ１２の切り替えによる新たな動作モード状態Ｍ(2-x)が、表示機器及び映像出力機器としてのＴＶ受信機２-１の動作モード状態Ｍ(2-1)であった場合は、リモコン制御装置２０は、ＴＶ受信機２-１の入力表示モードをＴＶ受信部７の受信放送映像を画面表示する入力表示モードｍ１に切り替えるリモコン信号を無線送信出力するとともに、さらに次に述べる処理も併せて行う。
【００４９】
この場合、リモコン制御装置２０は、新たな動作モード状態Ｍ(2-x)がＴＶ受信機２-１の動作モード状態Ｍ(2-1)であることを判別すると、制御メモリ１６の視聴ＴＶチャンネル記憶部１９を参照し、その記憶されているチャンネル選局のための最新のリモコン信号データ（制御コード）、又はその際のチャンネル選局数字ボタンのデータに基づいて、このリモコン信号データ又はチャンネル選局数字ボタンに対応するＴＶ放送を受信するためのＴＶ受信機２-１の機器個別制御用のリモコン信号を無線送信出力する。
【００５０】
そのため、動作モード切替スイッチ１２の切り替えによる新たな動作モード状態Ｍ(2-x)がＴＶ受信機２-１の動作モード状態Ｍ(2-1)であった場合は、ＴＶ受信機２-１の画面には、従前、最新に視聴していた選局チャンネルの受信放送映像が画面表示されることになる。
【００５１】
図２は、本実施の形態のリモコン装置を用いたＴＶ受信機と映像出力機器との間での映像視聴処理の具体例を示したフローチャートである。
【００５２】
まず、視聴当初にあたって、ユーザは、ＴＶ受信機２-１と映像出力機器２-２を用いたＡＶシステムの構築を行う（図２、ステップＳ01）。具体的には、ユーザは、ＴＶ受信機２-１の映像入力端子４（４１）に映像出力機器２-２の接続を行う。そして、ユーザは、このＴＶ受信機２-１と映像出力機器２-２とのシステム接続状態に対応させて、リモコン装置１の初期設定を行う。この初期設定は、図１に基づき説明した制御メモリ１６の切替状態−動作モード対応記憶部１７、及び表示モード設定状態記憶部１８のデータ初期設定である。この切替状態−動作モード対応記憶部１７、及び表示モード設定状態記憶部１８のデータ初期設定は、例えば、操作部１１の機器操作スイッチ１３に含まれるメニューボタンやチャンネル選局数字ボタンの予め定められている特殊操作等によって、ユーザにより行われる。
【００５３】
その上で、ユーザは、操作部１１の動作モード切替スイッチ１２を切替操作して、ＴＶ受信機２-１のリモコンコード（電源投入コード）が出力される動作モード状態Ｍ(2-1)に切り替える（ステップＳ02）。
【００５４】
そして、ユーザは、リモコン装置１の機器操作スイッチ１３に含まれるリモコン電源ボタンを押してＴＶ受信機２-１の電源を入れる（ステップＳ03）。
【００５５】
その上で、ＴＶ放送を視聴する場合は（ステップＳ04）、機器操作スイッチ１３に含まれるチャンネル選局数字ボタンを操作して、所望の視聴番組にチャンネルを合わせる（ステップＳ05）。
【００５６】
これに対して、先に接続した映像出力機器２-２の映像コンテンツを視聴する場合は（ステップＳ06）、ユーザは、操作部１１の動作モード切替スイッチ１２を切替操作して、映像出力機器２-２のリモコンコード（電源投入コード）が出力される動作モード状態Ｍ(2-2)に切り替える（ステップＳ07）。
【００５７】
この切替を受け、リモコン装置１からは、ＴＶ受信機２-１の入力表示モードを、映像出力機器２-２に対しての動作モード状態Ｍ(2-2)に対応した入力表示モードｍ２に切り替える機器個別制御用のリモコン信号が出力される（ステップＳ08）。
【００５８】
この後、ユーザは、ＴＶ受信機２-１の画面上の映像出力を見て（ステップＳ09）、前述のステップＳ01で述べたリモコン装置１の初期設定、又はシステム接続に誤りがあるか否かを確認することができ、誤りがある場合には、リモコン装置１の初期設定を実際のシステム接続に合わせて再設定したり、実際のシステム接続に誤りがある場合はその機器接続をやり直す（ステップＳ10）。
【００５９】
リモコン装置１の初期設定やシステム接続に誤りが無かった場合は、ユーザは、リモコン装置１で映像出力機器２-２を操作してその映像コンテンツを視聴することができる（ステップＳ11）。
【００６０】
その後、ユーザが映像出力機器２-２の映像コンテンツの視聴を中断又は終了し、ＴＶ放送を視聴する場合は（ステップＳ12）、ユーザは、操作部１１の動作モード切替スイッチ１２を切替操作して、ＴＶ受信機２-１のリモコンコード（電源投入コード）が出力される動作モード状態Ｍ(2-1)に切り替える（ステップＳ13）。
【００６１】
この切替を受け、リモコン装置１からは、ＴＶ受信機２-１の入力表示モードを、ＴＶ受信機２-１に対しての動作モード状態Ｍ(2-1)に対応した入力表示モードｍ１に切り替える機器個別制御用のリモコン信号が出力される（ステップＳ14）。これにより、ＴＶ受信機２-１の画面上には、従前、ユーザが最新に視聴していたＴＶ放送のチャンネルの放送映像が出力される。そのため、例えば、映像コンテンツの視聴中に、その前に視聴していたＴＶ放送の途中経過を確認する場合等は、ＴＶ受信機２-１のチャンネル選局操作を行わずとも、その前に視聴していたＴＶ放送の内容状況を確認することができる。
【００６２】
また、ユーザは、別のチャンネルのＴＶ放送を視聴する場合は、操作部１１の機器操作スイッチ１３に含まれるチャンネル選局数字ボタンの操作により、所望の視聴番組を視聴できる（ステップＳ15）。
【００６３】
また、ＴＶ受信機２-１によるＴＶ放送、又は映像出力機器２-２の映像コンテンツの視聴をやめる場合は、ユーザはリモコン装置１の機器操作スイッチ１３に含まれるリモコン電源ボタンを押してＴＶ受信機２-１の電源を切り、視聴を終了する（ステップＳ16）。
【００６４】
本実施の形態のリモコンは、以上説明したとおりのものであるが、本発明のリモコン装置の実施の形態はこれに限るものではない。
【００６５】
例えば、図１に示したシステム例では、システム内にリモコン制御機器としての表示機器が１つである場合を例に説明したが、システム内にリモコン制御機器としての表示機器が複数ある場合でも対応可能である。
【００６６】
この場合は、前述した制御メモリ１６に含まれる切替状態−動作モード対応記憶部１７，入力表示モード設定状態記憶部１８，及び視聴ＴＶチャンネル記憶部１９の各メモリを、表示機器毎に対応させればよい。
【図面の簡単な説明】
【００６７】
【図１】本実施の形態のリモコン装置、及びこのリモコン装置を用いたＡＶシステムの構成例を示すブロック図である。
【図２】本実施の形態のリモコン装置を用いたＴＶ受信機と映像出力機器との間での映像視聴処理の具体例を示したフローチャートである。
【符号の説明】
【００６８】
１  リモコン装置
２  リモコン制御機器
２-１  ＴＶ受信機（表示機器）
２-２  ＤＶＤレコーダ（映像出力機器）
２-３  ＶＴＲ（映像出力機器）
３  映像出力端子
４  映像入力端子
５  専用ケーブル
６  リモコン信号受信装置（制御コード受信装置）
７  ＴＶ受信部
１１  操作部
１２  動作モード切替スイッチ
１３  機器操作スイッチ
１４  データコードメモリ
１５  リモコン信号送信装置（制御コード送信装置）
１６  制御メモリ
２０  リモコン制御装置
【図１】
2008035247.tif 000003
【図２】
2008035247.tif 000004